(57)【要約】【課題】ページングインディケータ信号に誤りが混入した場合、ページング情報を解析することなく、着信がないことを検出する移動通信端末装置の間欠受信方法及び移動通信端末装置を提供する。【解決手段】待ち受け基地局から送信される電波の品質を記憶する電波品質測定結果２１を設け、記憶された電波の品質が低い場合、ページングチャネルの有無を示す識別情報（ＴＦＣＩ）を用いることにより、着信がないことを短時間に、かつ、少ない消費電力で検出する。【選択図】  図１
2005039368.tif 000002
【特許請求の範囲】
【請求項１】
待ち受け基地局から送信された電波を受信して、その品質を測定し、
その測定によって得られた電波品質を記憶し、
前記記憶された電波品質が所定の閾値より高い場合、着信有無表示信号によって着信がないことを検出し、
前記記憶された電波品質が前記所定の閾値より低い場合、着信情報の送信の有無を示す識別情報によって前記着信がないことを検出する
ことを特徴とする移動通信端末装置の間欠受信方法。
【請求項２】
前記着信有無表示信号は符号化処理が施されずに送信され、
前記識別情報は符号化処理が施されて送信される
ことを特徴とする請求項１に記載の移動通信端末装置の間欠受信方法。
【請求項３】
前記記憶された電波品質が前記所定の閾値より高い場合、前記着信有無表示信号が送信されるタイミングに合わせて間欠起床し、
前記記憶された電波品質が前記所定の閾値より低い場合、前記識別情報が送信されるタイミングに合わせて間欠起床する
ことを特徴とする請求項１に記載の移動通信端末装置の間欠受信方法。
【請求項４】
前記記憶された電波品質は、所定回の間欠受信の際に測定した前記電波品質の平均値である
ことを特徴とする請求項１に記載の移動通信端末装置の間欠受信方法。
【請求項５】
待ち受け基地局から送信された電波を受信して、その品質を測定する手段と、
前記測定手段によって得られた電波品質を記憶する手段と、
前記記憶手段に記憶された電波品質が所定の閾値より高い場合、着信有無表示信号によって着信がないことを検出し、前記記憶手段に記憶された電波品質が前記所定の閾値より低い場合、着信情報の送信の有無を示す識別情報によって着信がないことを検出する着信有無検出手段とを
有することを特徴とする移動通信端末装置。
【発明の詳細な説明】
【０００１】
【発明の属する技術分野】
本発明は、移動通信端末装置の間欠受信方法及び移動通信端末装置に係り、特に電力消費の少ない着信検出処理に関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ、符号分割多元接続）方式などのセルラ方式の移動通信システムでは、移動通信サービスエリアをセルと呼ばれる小規模な領域に分割し、各セルに１つ又は複数の基地局を設置する。
【０００３】
そして、移動局は、あるセル内に位置して待ち受け中（Ｉｄｌｅ  Ｍｏｄｅ）では、そのセルに設置された基地局を選択して待ち受け基地局（Ｓｅｒｖｉｎｇ  Ｃｅｌｌ）とし、その待ち受け基地局との間の無線通信リンクを確立する。
【０００４】
また、あるセルからそのセルに隣接するセルに移動する場合には、移動局は、移動前に位置していたセルの基地局から、移動後に位置するセルの基地局を待ち受け基地局として再選択（Ｃｅｌｌ  Ｒｅ−ｓｅｌｅｃｔｉｏｎ。以後、セル再選択と称する。）する。
【０００５】
そして、移動局は、間欠受信周期（Ｄｉｓｃｏｎｔｉｎｕｏｕｓ  Ｒｅｃｅｐｔｉｏｎ  Ｃｙｃｌｅ）毎に間欠起床して間欠受信を行ない、待ち受け基地局から送られる着信に関する情報を受信して、自局宛の着信の有無を検出する。
【０００６】
即ち、移動局は、まず、ページングインディケータチャネル（Ｐａｇｉｎｇ  Ｉｎｄｉｃａｔｏｒ  Ｃｈａｎｎｅｌ、ＰＩＣＨ）で送信されるページングインディケータ（Ｐａｇｉｎｇ  Ｉｎｄｉｃａｔｏｒ、ＰＩ）信号を受信する。このページングインディケータ信号は、着信の有無を表示する信号である。そして、その信号が「着信なし」を示しておれば、直ちに自局宛の着信はないと判断する。
【０００７】
また、上記ページングインディケータ信号が「着信あり」を示していれば、移動局へ着信ありが通知される。
【０００８】
そこで、上記ページングインディケータ信号が「着信あり」を示している場合、上記ページングインディケータ信号の送信に引き続いてページングチャネル（Ｐａｇｉｎｇ  Ｃｈａｎｎｅｌ、ＰＣＨ）で送信されるページング情報を受信する。このページング情報は、着信移動局の識別子を含む、着信の情報である。そして、この情報に含まれる着信移動局識別子が自局の識別子と等しいか否かを解析することによって、自局宛の着信の有無を最終的に判断する（例えば、非特許文献１参照。）。
【０００９】
ところで、上記ページングインディケータ信号は、符号化が施されない。そのため、その信号を受信するには復号化処理が不要であり、短時間で、即ち、少ない消費電力で着信がないことを検出できる。その反面、ページングインディケータ信号の伝送中に誤りが混入した場合、その誤りが訂正されず、受信した信号を着信の有無の検出に用いることができない。
【００１０】
そこで、ページングインディケータ信号に誤りが混入した場合、受信したその信号を用いずに、ページングチャネルで送信されるページング情報を受信して、その信号を解析することによって、着信の有無の検出を行なう。なぜなら、ページングチャネルで送信されるページング情報は符号化が施されるので、ページングインディケータ信号に比較して、伝送中に混入した誤りが訂正されることが多いからである。
【００１１】
【非特許文献１】
“スリージーピーピー（３ＧＰＰ）  ＴＳ２５．２１１”、Ｖ５．３．０版、ｐ．２８−２９、４４−４５、［ｏｎｌｉｎｅ］、２００２年１２月、スリージーピーピー（３ＧＰＰ）、［平成１５年６月２日検索］、インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．２１１／＞
【００１２】
【発明が解決しようとする課題】
しかしながら、ページングインディケータ信号に誤りが混入した場合、その信号を受信するのに用いた電力は無駄になる問題点があった。また、ページングチャネルで送信されるページング情報は、符号化が施されるため、そのページング情報を受信するには復号化処理が必要である。そのため、ページング情報の解析には、長時間がかかり、即ち、多くの電力が消費される。そこで、ページングインディケータ信号に誤りが混入した場合、着信がないことを検出するために多くの電力が消費される問題点があった。
【００１３】
本発明は、上記問題点を解決するためになされたもので、ページングインディケータ信号に誤りの混入が予想される場合、ページングインディケータ信号を用いず、かつ、ページング情報を解析することなく、着信がないことを検出する移動通信端末装置の間欠受信方法及び移動通信端末装置を提供することを目的とする。
【００１４】
【課題を解決するための手段】
上記目的を達成するために、本発明の移動通信端末装置の間欠受信方法は、待ち受け基地局から送信された電波を受信して、その品質を測定し、その測定によって得られた電波品質を記憶し、前記記憶された電波品質が所定の閾値より高い場合、着信有無表示信号によって着信がないことを検出し、前記記憶された電波品質が前記所定の閾値より低い場合、着信情報の送信の有無を示す識別情報によって着信がないことを検出することを特徴とする。
【００１５】
本発明によれば、ページングインディケータ信号に誤りの混入が予想される場合、ページングチャネルの有無を示す識別情報を用いることにより、着信がないことを短時間に、かつ、少ない消費電力で検出することができる。
【００１６】
【発明の実施の形態】
以下に、本発明による移動通信端末装置の間欠受信方法及び移動通信端末装置の実施の形態を、図面を参照して説明する。図１は、本発明の実施形態に係る移動通信端末装置（移動局）の構成を示すブロック図である。
【００１７】
この装置は、装置全体の制御を行なう制御部１１と、基地局（図示せず）との間で電波の送受信を行なうアンテナ１２ａと、通信部１２ｂと、送受信部１３と、スピーカ１４ａと、マイクロフォン１４ｂと、通話部１４ｃと、出力部１５と、入力部１６と、間欠受信処理部１７と、電波品質記憶部１８と、これらに電力を供給する充電池（図示せず）とからなる。電波品質記憶部１８には、電波品質測定結果２１が記憶される。
【００１８】
上記のように構成された、本発明の実施形態に係る移動通信端末装置の各部の動作を、図１を参照して説明する。
【００１９】
まず、通信部１２ｂは、アンテナ１２ａが受信した高周波信号を送受信部１３へ出力し、また、送受信部１３から出力される高周波信号をアンテナ１２ａより送信する。
【００２０】
送受信部１３は、通信部１２ｂからの高周波信号を増幅、周波数変換及び復調し、それによって得られたデジタル音声信号を通話部１４ｃへ、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００２１】
次に、通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００２２】
出力部１５は、例えばＬＣＤの表示装置であり、制御部１１より起動されることにより、表示動作を開始する。入力部１６からの入力操作に応答して制御部１１より起動されるまで、出力部１５には同じ内容が表示される。
【００２３】
入力部１６は、複数のキーからなり、制御部１１の起動により動作を開始し、利用者が入力操作したキー入力に応じて、そのキーを識別するコードを制御部１１へ通知して動作を終了する。
【００２４】
次に、間欠受信処理部１７の動作を説明する。間欠受信処理部１７は、着信の有無の検出を行ない、また、セル再選択を行なう装置である。
【００２５】
図２は、この間欠受信処理部１７の動作を示すフローチャートである。間欠受信処理部１７は、間欠受信周期毎に制御部１１から起動され、動作を開始する（ステップ１７ａ）。まず、待ち受け基地局の共通パイロットチャネル（Ｃｏｍｍｏｎ  Ｐｉｌｏｔ  Ｃｈａｎｎｅｌ）で送信される共通パイロット信号を受信して、待ち受け基地局をサーチする。
【００２６】
また、同時に、その共通パイロットチャネルで送信される共通パイロット信号の電波の品質を測定する（ステップ１７ｂ）。電波の品質は、電波の強度としても良く、また、電波の信号対雑音電力比としても良い。
【００２７】
間欠受信処理部１７は、続いて、上記測定した電波の品質が所定の閾値以上であれば（ステップ１７ｃの「高い」）、電波品質測定結果２１に「高」と書き込む（ステップ１７ｄ）。また、その品質が所定の閾値未満であれば（ステップ１７ｃの「低い」）、電波品質測定結果２１に「低」と書き込む（ステップ１７ｅ）。
【００２８】
間欠受信処理部１７は、続いて、起動された時のモードに従って動作を分岐する（ステップ１７ｆ）。即ち、「ＰＩモード」が指定されていれば（ステップ１７ｆの「ＰＩモード」）、まず、ページングインディケータチャネルで送信されるページングインディケータ信号を受信して、受信したページングインディケータ信号によって動作を分岐する（ステップ１７ｇ）。
【００２９】
即ち、受信したページングインディケータ信号が「着信なし」を示していれば（ステップ１７ｇの「着信なし」）、間欠受信処理部１７は、続いて、待ち受け基地局に隣接する基地局の共通パイロットチャネルで送信される共通パイロット信号を受信して、隣接する基地局をサーチする。また、同時に、隣接する基地局の共通パイロットチャネルで送信される共通パイロット信号の電波の品質を測定する（ステップ１７ｈ）。
【００３０】
次に、間欠受信処理部１７は、ステップ１７ｂで測定した待ち受け基地局の共通パイロット信号の電波の品質と、ステップ１７ｈで測定した待ち受け基地局に隣接する基地局の共通パイロット信号の電波の品質とに基いて、所定の評価基準によって、セル再選択をするか否かを判断する。そして、セル再選択すると判断した場合には、セル再選択前後の２つの待ち受け基地局に所定の通信を行って、セル再選択の発生を通知し（ステップ１７ｉ）、間欠受信処理を終了する（ステップ１７ｊ）。
【００３１】
ステップ１７ｇで、ページングインディケータ信号が「着信あり」を示している場合（ステップ１７ｇの「着信あり」）、間欠受信処理部１７は、第２共通制御チャネル（Ｓｅｃｏｎｄａｒｙ  Ｃｏｍｍｏｎ  Ｃｏｎｔｒｏｌ  Ｃｈａｎｎｅｌ）で送信されるＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号と、ページングチャネルで送信されるページング情報と、制御ＦＡＣＨチャネル（Ｆｏｒｗａｒｄ  Ａｃｃｅｓｓ  Ｃｈａｎｎｅｌ）で送信される制御ＦＡＣＨと、パケットＦＡＣＨチャネルで送信されるとパケットＦＡＣＨを受信する。
【００３２】
ページングチャネルに含まれるページング情報は、インターリーブと畳み込み符号化が施されて送信される。そこで、間欠受信処理部１７は、受信したページングチャネルに含まれるページング情報をデインターリーブし、ビタビ復号する（ステップ１７ｋ）。
【００３３】
なお、ステップ１７ｇで、ページングインディケータ信号に誤りが含まれており、その信号が「着信なし」を示しているか「着信あり」を示しているか不明の場合、間欠受信処理部１７は、その信号が「着信あり」を示しているものとして動作する。
【００３４】
そして、復号されたページング情報に含まれる着信局の識別子が自装置の識別子に等しい場合（ステップ１７ｍの「あり」）、間欠受信処理部１７は、自装置あての着信があると判断し、着信処理部（図示せず）に動作を引き継ぐ（ステップ１７ｎ）。
【００３５】
着信がない場合（ステップ１７ｍの「なし」）、間欠受信処理部１７は、ステップ１７ｈの待ち受け基地局に隣接する基地局から送信される電波の品質の測定と、ステップ１７ｉのセル再選択の処理を行なう。
【００３６】
ステップ１７ｆで、「ＴＦＣＩモード」が指定されていれば（ステップ１７ｆの「ＴＦＣＩモード」）、間欠受信処理部１７は、第２共通制御チャネルで送信されるＴＦＣＩ信号を受信する。
【００３７】
ＴＦＣＩ信号は、リードミュラー符号化が施されて送信される。そこで、間欠受信処理部１７は、受信したＴＦＣＩ信号を復号し、そして、復号されたＴＦＣＩ信号の値によって動作を分岐する（ステップ１７ｏ）。
【００３８】
即ち、まず、ＴＦＣＩ信号をリードミュラー復号し、復号したＴＦＣＩの値からページングチャネルの有無を検出する。ここで、ＴＦＣＩ信号は、ページングチャネルでページング情報が送信されたか否かと、制御ＦＡＣＨチャネルで制御ＦＡＣＨが送信されたか否かと、パケットＦＡＣＨチャネルでパケットＦＡＣＨが送信されたか否かを示す識別情報である。
【００３９】
復号したＴＦＣＩの値と、ページング情報の送信の有無と、制御ＦＡＣＨの送信の有無と、パケットＦＡＣＨの送信の有無との関係の一例を図３に示す。
【００４０】
ＴＦＣＩの値は、０〜７の８通りの値のいずれかであり、この値によって、ページング情報の送信の有無と、制御ＦＡＣＨの送信の有無と、パケットＦＡＣＨの送信の有無との全ての組み合わせのいずれであるかを示す。
【００４１】
図３に示す例では、復号したＴＦＣＩの値が「１」か、「３」か、「５」か、「７」のいずれかの場合にはページング情報が送信されているので、自局あての着信がある可能性があり（ステップ１７ｏの「着信あり」）、間欠受信処理部１７は、ステップ１７ｋのページングチャネルで送信されたページング情報の復号以降の処理を行なう。
【００４２】
ステップ１７ｏで、ＴＦＣＩの値が「０」か、「２」か、「４」か、「６」のいずれかの場合にはページング情報が送信されていないので、自局あての着信がなく（ステップ１７ｏの「着信なし」）、間欠受信処理部１７は、ステップ１７ｈの待ち受け基地局に隣接する基地局から送信される電波の品質の測定と、ステップ１７ｉのセル再選択の処理を行なう。この場合、間欠受信処理部１７は、ステップ１７ｋのページング情報の復号を行なわないので、電力消費の削減が可能となる。
【００４３】
次に、上記のように構成された、本発明の実施形態に係る移動通信端末装置における制御部１１の間欠起床の制御動作を説明する。
【００４４】
図４は、制御部１１の間欠起床の制御動作を示すフローチャートである。間欠起床の制御動作は、装置の電源が投入された際と、通話通信が終了した際に動作を開始する（ステップ１１ａ）。続いて、所定の間欠起床間隔に従って、起動モードを「ＰＩモード」と指定して（ステップ１１ｂ）、間欠受信処理部１７を起動して、間欠受信処理を行なう（ステップ１１ｃ）。
【００４５】
間欠受信処理部１７は、電波品質測定結果２１に待ち受け基地局から送信される電波の品質を測定した結果を格納する。
【００４６】
制御部１１は、続いて、電波品質測定結果２１に記憶された値によって動作を分岐する（ステップ１１ｄ）。電波品質測定結果２１に記憶された値が「高」であれば（ステップ１１ｄの「高」）、次回の間欠起床時に、間欠受信処理部１７がページングインディケータ信号を受信できるタイミングに間欠受信処理部１７を起動するために、第１の所定時間のスリープに入る（ステップ１１ｅ）。上記のスリープの終了後、ステップ１１ｂの起動モードの指定と、ステップ１１ｃの間欠受信処理部１７の起動を行なう。
【００４７】
一方、電波品質測定結果２１に記憶された値が「低」であれば（ステップ１１ｄの「低」）、制御部１１は、次回の間欠起床時に、間欠受信処理部１７がＴＦＣＩ信号を受信できるタイミングに間欠受信処理部１７を起動するために、第２の所定時間のスリープに入る（ステップ１１ｆ）。上記のスリープの終了後、起動モードを「ＴＦＣＩモード」と指定して（ステップ１１ｇ）、間欠受信処理部１７を起動して、間欠受信処理を行なう（ステップ１１ｃ）。
【００４８】
ここで、ページングインディケータ信号に遅れてＴＦＣＩ信号が送られてくるので、第２の所定時間は第１の所定時間より大きい。そのため、待ち受け基地局から送信される電波の品質が低く、ページングインディケータ信号が誤りなしに受信できないと予想される場合には、ページングインディケータ信号が送られる時刻には装置はスリープ状態にあり、消費電力の削減が可能となる。
【００４９】
なお、本実施形態においては、１回の間欠受信の際に待ち受け基地局から送信された電波の品質に依存して、次回の間欠受信の際に着信がないことをページングインディケータ信号によって判断するか、ＴＦＣＩ信号によって判断するかを決定した。
【００５０】
ここで、所定回数の間欠受信の際に待ち受け基地局から送信された電波の品質を平均し、平均した品質に依存して、次回の間欠受信の際に着信がないことをページングインディケータ信号によって判断するか、ＴＦＣＩ信号によって判断するかを決定しても良い。本発明は以上の構成に限定されるものではなく、種々の変形が可能である。
【００５１】
【発明の効果】
以上述べたように、本発明によれば、ページングインディケータ信号に誤りの混入が予想される場合、ページングチャネルの送信の有無を示す識別情報を用いることにより、着信がないことを短時間に、かつ、少ない消費電力で検出することができる。そのため、待ち受け中の移動通信端末装置の消費電力削減ができる。
【図面の簡単な説明】
【図１】本発明の実施形態に係る移動通信端末装置の構成を示すブロック図。
【図２】本発明の実施形態に係る間欠受信処理部の動作を示すフローチャート。
【図３】本発明の実施形態に係るＴＦＣＩの値とページングチャネル等の送信の有無との関係を示す情報の例。
【図４】本発明の実施形態に係る制御部の間欠起床制御動作を示すフローチャート。
【符号の説明】
１１  制御部
１７  間欠受信処理部
１８  電波品質記憶部
２１  電波品質測定結果
【図１】
2005039368.tif 000003
【図２】
2005039368.tif 000004
【図３】
2005039368.tif 000005
【図４】
2005039368.tif 000006